(57)【要約】【課題】切換弁を用いることなくが除加湿が行え、しかも構成が簡素で信頼性の高い調湿装置を提供する。【解決手段】調湿装置（２０）には、吸着ロータ（２４）と加熱器（２５）とが収納され、第１空気が流れる第１通路（２１）と第２空気が流れる第２通路（２２）とが形成される。吸着ロータ（２４）の回転速度を調節すると、第１空気と第２空気の間の熱交換量及び水分交換量が変化し、除湿動作と加湿暖房動作が切り換わる。除湿動作時には、吸着ロータ（２４）の回転速度が遅く設定される。第１空気は吸着ロータ（２４）で除湿された後に室内へ供給され、第２空気は吸着ロータ（２４）の再生に利用された後に室外へ排出される。加湿暖房動作時には、吸着ロータ（２４）の回転速度が速く設定される。第１空気は吸着ロータ（２４）から熱及び水分を付与された後に室内へ供給され、第２空気は吸着ロータ（２４）に熱及び水分を奪われた後に室外へ排出される。【選択図】  図１
2004354009.tif 000002
【特許請求の範囲】
【請求項１】
室内へ供給される空気の除湿動作と加湿暖房動作とが切換可能な調湿装置であって、
室内へ向けて第１空気が流れる第１通路（２１）と、
室外へ向けて第２空気が流れる第２通路（２２）と、
第１空気及び第２空気と接触可能な吸着材を有して第１空気と第２空気の間で熱及び水分の交換を行わせると共に、第１空気と第２空気の間における熱交換量及び水分交換量を調節可能に構成された調湿部（２３）と、
上記調湿部（２３）へ送られる第２空気を加熱する加熱手段（２５）とを備え、
除湿動作と加湿暖房動作の切り換えを上記調湿部（２３）における熱交換量及び水分交換量の調節によって行う調湿装置。
【請求項２】
請求項１に記載の調湿装置において、
調湿部（２３）は、表面に吸着材が担持されると共に第１通路（２１）と第２通路（２２）の両方に跨って配置されて回転駆動される吸着ロータ（２４）を備え、該吸着ロータ（２４）の回転速度を変更することによって熱交換量及び水分交換量を調節するように構成されており、
上記吸着ロータ（２４）の回転速度は、加湿暖房動作中の方が除湿動作中よりも速く設定される調湿装置。
【請求項３】
請求項２に記載の調湿装置において、
加熱手段（２５）は、第２通路（２２）を横断する吸着ロータ（２４）のうち該吸着ロータ（２４）の回転方向における始端側の部分よりも終端側の部分の方が高温の第２空気と接触するように、該第２空気を加熱する際に温度分布を形成する調湿装置。
【請求項４】
請求項１に記載の調湿装置において、
調湿部（２３）を通過後の第１空気と加熱手段（２５）により加熱される前の第２空気とを熱交換させる顕熱交換器を備えている調湿装置。
【請求項５】
請求項４に記載の調湿装置において、
第１通路（２１）と第２通路（２２）の両方に跨って配置されて回転駆動され、第１空気と第２空気の何れか一方から吸熱して他方へ放熱する回転ロータ（２６）が顕熱交換器として設けられている調湿装置。
【請求項６】
請求項４に記載の調湿装置において、
第１空気の流路と第２空気の流路とが交互に多数形成されて各流路内の第１空気と第２空気を互いに熱交換させる熱交換用部材（２７）が顕熱交換器として設けられている調湿装置。
【請求項７】
請求項５に記載の調湿装置において、
回転ロータ（２６）は、除湿動作中に回転駆動されて加湿暖房動作中には停止する調湿装置。
【請求項８】
請求項４，５又は６に記載の調湿装置において、
第２通路（２２）には、顕熱交換器を通過した後であって加熱手段（２５）により加熱される前の第２空気の一部を排出するための排気通路（２８）が接続されている調湿装置。
【請求項９】
請求項１に記載の調湿装置において、
加熱手段（２５）は、第２空気よりも温度及び絶対湿度が高い加熱用ガスを上記第２空気へ混入することによって該第２空気を加熱するように構成されている調湿装置。
【請求項１０】
請求項９に記載の調湿装置において、
加熱手段（２５）は、発電装置（４０）の排出ガスを加熱用ガスとして第２空気へ混入する調湿装置。
【請求項１１】
室内へ供給される空気の除湿冷却動作と加湿動作とが切換可能な調湿装置であって、
室外へ向けて第１空気が流れる第１通路（２１）と、
室内へ向けて第２空気が流れる第２通路（２２）と、
第１空気及び第２空気と接触可能な吸着材を有して第１空気と第２空気の間で熱及び水分の交換を行わせると共に、第１空気と第２空気の間における熱交換量及び水分交換量を調節可能に構成された調湿部（２３）と、
加湿動作中は上記調湿部（２３）へ送られる第２空気の加熱を行って除湿冷却動作中は第２空気の加熱を停止する加熱手段（２５）とを備え、
除湿冷却動作と加湿動作の切り換えを上記調湿部（２３）における熱交換量及び水分交換量の調節によって行う調湿装置。
【請求項１２】
請求項１１に記載の調湿装置において、
調湿部（２３）は、表面に吸着材が担持されると共に第１通路（２１）と第２通路（２２）の両方に跨って配置されて回転駆動される吸着ロータ（２４）を備え、該吸着ロータ（２４）の回転速度を変更することによって熱交換量及び水分交換量を調節するように構成されており、
上記吸着ロータ（２４）の回転速度は、除湿冷却動作中の方が加湿動作中よりも速く設定される調湿装置。
【請求項１３】
請求項１２に記載の調湿装置において、
加熱手段（２５）は、第２通路（２２）を横断する吸着ロータ（２４）のうち該吸着ロータ（２４）の回転方向における始端側の部分よりも終端側の部分の方が高温の第２空気と接触するように、該第２空気を加熱する際に温度分布を形成する調湿装置。
【請求項１４】
請求項１１に記載の調湿装置において、
調湿部（２３）を通過後の第１空気と加熱手段（２５）により加熱される前の第２空気とを熱交換させる顕熱交換器を備えている調湿装置。
【請求項１５】
請求項１４に記載の調湿装置において、
第１通路（２１）と第２通路（２２）の両方に跨って配置されて回転駆動され、第１空気と第２空気の何れか一方から吸熱して他方へ放熱する回転ロータ（２６）が顕熱交換器として設けられている調湿装置。
【請求項１６】
請求項１４に記載の調湿装置において、
第１空気の流路と第２空気の流路とが交互に多数形成されて各流路内の第１空気と第２空気を互いに熱交換させる熱交換用部材（２７）が顕熱交換器として設けられている調湿装置。
【請求項１７】
請求項１４，１５又は１６に記載の調湿装置において、
加熱手段（２５）は、第２空気よりも温度が高い加熱用ガスを混入して加熱した第１空気を顕熱交換器で第２空気と熱交換させることによって該第２空気を加熱するように構成されている調湿装置。
【請求項１８】
請求項１７に記載の調湿装置において、
加熱手段（２５）は、発電装置（４０）の排出ガスを加熱用ガスとして第１空気へ混入する調湿装置。
【発明の詳細な説明】
【０００１】
【発明の属する技術分野】
本発明は、室内の除湿又は加湿を行う調湿装置に関する。
【０００２】
【従来の技術】
従来より、特許文献１に開示されているように、吸着材を用いて室内の除湿又は加湿を行う調湿装置が知られている。この調湿装置には、２つの空気通路と、吸着材を備える除湿器とが設けられている。この除湿器は、両方の空気通路に跨って配置されている。また、調湿装置において、各通路の入口側には第１切換弁が設けられ、それぞれの出口側には第２切換弁が設けられている。第１切換弁を操作すると、室内空気や室外空気の導入される空気通路が切り換わる。第２切換弁を操作すると、各通路を通過した空気を室内と屋外のどちらへ導くかが切り換わる。
【０００３】
除湿動作時において、上記調湿装置は、一方の空気通路へ取り込んだ室外空気を除湿器で除湿してから室内へ供給し、他方の空気通路へ取り込んだ室内空気を除湿器の再生に利用してから室外へ排出する。一方、加湿動作時において、調湿装置は、一方の空気通路へ取り込んだ室内空気を除湿器で除湿してから室外へ排出し、他方の空気通路へ取り込んだ室外空気を除湿器から脱離した水分で加湿してから室内へ供給する。このように、上記調湿装置では、２つの切換弁を用いて空気通路を切り換え、室内の除湿と加湿を行っている。
【０００４】
また、特許文献２に開示されているように、ガスタービンエンジン発電機の排ガスを利用した調湿装置が知られている。この調湿装置には、室外空気が流れる給気用の通路と室内空気が流れる排気用の通路が設けられている。上記調湿装置には、排ガスが流れる２つの流路が設けられている。また、調湿装置には、排ガスをどちらの流路へ導入するかを切り換えるための切換ダンパが設けられている。
【０００５】
除湿動作時には、一方の流路を通じて排ガスが除湿ロータの再生側へ導入される。この排ガスは、除湿ロータの再生に利用された後に、室外へ排出される。給気用の通路へ取り込まれた室外空気は、除湿ロータの吸着側で除湿され、顕熱交換器で室内空気と熱交換して冷却された後に、室内へ供給される。一方、暖房動作時には、他方の流路を通じて排ガスが排気用の通路における顕熱交換器の上流側へ導入される。排気用の通路へ取り込まれた室内空気は、排ガスと混合されて加熱された後に、顕熱交換器へ導入される。給気用の通路へ取り込まれた室外空気は、停止している除湿ロータを通過し、顕熱交換器で室外空気と熱交換して加熱された後に、室内へ供給される。このように、上記調湿装置では、切換ダンパを用いて排ガスが流れる流路を切り換え、室内の除湿と暖房を行っている。
【０００６】
【特許文献１】
特開２００２−３４９９０５号公報
【特許文献２】
特開２００３−４２００６号公報
【０００７】
【発明が解決しようとする課題】
上記の特許文献１に開示された調湿装置によれば、１台の調湿装置により室内の除湿と加湿を切り換えて行うことが可能となる。ところが、この調湿装置では、除加湿を切り換えるために２つの切換弁を設けなければならず、調湿装置の複雑化やコスト増加を招くという問題がある。
【０００８】
一方、特許文献２に開示された調湿装置によれば、排ガスが流れる通路を切り換える切換ダンパの操作だけで運転の切り換えが可能であり、特許文献１の調湿装置に比べると装置の構成が簡素化されている。しかしながら、この調湿装置では、空気の除湿か加熱しか行われず、空気の加湿を行うことができないという問題がある。また、排ガスは高温であるため、この排ガスの流れを切り換えるための切換ダンパについては、その信頼性を確保するのが困難であるという問題もあった。
【０００９】
本発明は、かかる点に鑑みてなされたものであり、その目的とするところは、切換弁を用いることなくが除加湿が行え、しかも構成が簡素で信頼性の高い調湿装置を提供することにある。
【００１０】
【課題を解決するための手段】
請求項１の発明は、室内へ供給される空気の除湿動作と加湿暖房動作とが切換可能な調湿装置を対象としている。そして、室内へ向けて第１空気が流れる第１通路（２１）と、室外へ向けて第２空気が流れる第２通路（２２）と、第１空気及び第２空気と接触可能な吸着材を有して第１空気と第２空気の間で熱及び水分の交換を行わせると共に、第１空気と第２空気の間における熱交換量及び水分交換量を調節可能に構成された調湿部（２３）と、上記調湿部（２３）へ送られる第２空気を加熱する加熱手段（２５）とを備え、除湿動作と加湿暖房動作の切り換えを上記調湿部（２３）における熱交換量及び水分交換量の調節によって行うものである。
【００１１】
請求項２の発明は、請求項１に記載の調湿装置において、調湿部（２３）が、表面に吸着材が担持されると共に第１通路（２１）と第２通路（２２）の両方に跨って配置されて回転駆動される吸着ロータ（２４）を備え、該吸着ロータ（２４）の回転速度を変更することによって熱交換量及び水分交換量を調節するように構成されており、上記吸着ロータ（２４）の回転速度が、加湿暖房動作中の方が除湿動作中よりも速く設定されるものである。
【００１２】
請求項３の発明は、請求項２に記載の調湿装置において、加熱手段（２５）が、第２通路（２２）を横断する吸着ロータ（２４）のうち該吸着ロータ（２４）の回転方向における始端側の部分よりも終端側の部分の方が高温の第２空気と接触するように、該第２空気を加熱する際に温度分布を形成するものである。
【００１３】
請求項４の発明は、請求項１に記載の調湿装置において、調湿部（２３）を通過後の第１空気と加熱手段（２５）により加熱される前の第２空気とを熱交換させる顕熱交換器を備えるものである。
【００１４】
請求項５の発明は、請求項４に記載の調湿装置において、第１通路（２１）と第２通路（２２）の両方に跨って配置されて回転駆動され、第１空気と第２空気の何れか一方から吸熱して他方へ放熱する回転ロータ（２６）が顕熱交換器として設けられるものである。
【００１５】
請求項６の発明は、請求項４に記載の調湿装置において、第１空気の流路と第２空気の流路とが交互に多数形成されて各流路内の第１空気と第２空気を互いに熱交換させる熱交換用部材（２７）が顕熱交換器として設けられるものである。
【００１６】
請求項７の発明は、請求項５に記載の調湿装置において、回転ロータ（２６）が、除湿動作中に回転駆動されて加湿暖房動作中には停止するものである。
【００１７】
請求項８の発明は、請求項４，５又は６に記載の調湿装置において、第２通路（２２）には、顕熱交換器を通過した後であって加熱手段（２５）により加熱される前の第２空気の一部を排出するための排気通路（２８）が接続されるものである。
【００１８】
請求項９の発明は、請求項１に記載の調湿装置において、加熱手段（２５）が、第２空気よりも温度及び絶対湿度が高い加熱用ガスを上記第２空気へ混入することによって該第２空気を加熱するように構成されるものである。
【００１９】
請求項１０の発明は、請求項９に記載の調湿装置において、加熱手段（２５）が、発電装置（４０）の排出ガスを加熱用ガスとして第２空気へ混入するものである。
【００２０】
請求項１１の発明は、室内へ供給される空気の除湿冷却動作と加湿動作とが切換可能な調湿装置を対象としている。そして、室外へ向けて第１空気が流れる第１通路（２１）と、室内へ向けて第２空気が流れる第２通路（２２）と、第１空気及び第２空気と接触可能な吸着材を有して第１空気と第２空気の間で熱及び水分の交換を行わせると共に、第１空気と第２空気の間における熱交換量及び水分交換量を調節可能に構成された調湿部（２３）と、加湿動作中は上記調湿部（２３）へ送られる第２空気の加熱を行って除湿冷却動作中は第２空気の加熱を停止する加熱手段（２５）とを備え、除湿冷却動作と加湿動作の切り換えを上記調湿部（２３）における熱交換量及び水分交換量の調節によって行うものである。
【００２１】
請求項１２の発明は、請求項１１に記載の調湿装置において、調湿部（２３）が、表面に吸着材が担持されると共に第１通路（２１）と第２通路（２２）の両方に跨って配置されて回転駆動される吸着ロータ（２４）を備え、該吸着ロータ（２４）の回転速度を変更することによって熱交換量及び水分交換量を調節するように構成されており、上記吸着ロータ（２４）の回転速度が、除湿冷却動作中の方が加湿動作中よりも速く設定されるものである。
【００２２】
請求項１３の発明は、請求項１２に記載の調湿装置において、加熱手段（２５）が、第２通路（２２）を横断する吸着ロータ（２４）のうち該吸着ロータ（２４）の回転方向における始端側の部分よりも終端側の部分の方が高温の第２空気と接触するように、該第２空気を加熱する際に温度分布を形成するものである。
【００２３】
請求項１４の発明は、請求項１１に記載の調湿装置において、調湿部（２３）を通過後の第１空気と加熱手段（２５）により加熱される前の第２空気とを熱交換させる顕熱交換器を備えるものである。
【００２４】
請求項１５の発明は、請求項１４に記載の調湿装置において、第１通路（２１）と第２通路（２２）の両方に跨って配置されて回転駆動され、第１空気と第２空気の何れか一方から吸熱して他方へ放熱する回転ロータ（２６）が顕熱交換器として設けられるものである。
【００２５】
請求項１６の発明は、請求項１４に記載の調湿装置において、第１空気の流路と第２空気の流路とが交互に多数形成されて各流路内の第１空気と第２空気を互いに熱交換させる熱交換用部材（２７）が顕熱交換器として設けられるものである。
【００２６】
請求項１７の発明は、請求項１４，１５又は１６に記載の調湿装置において、加熱手段（２５）が、第２空気よりも温度が高い加熱用ガスを混入して加熱した第１空気を顕熱交換器で第２空気と熱交換させることによって該第２空気を加熱するように構成されるものである。
【００２７】
請求項１８の発明は、請求項１７に記載の調湿装置において、加熱手段（２５）が、発電装置（４０）の排出ガスを加熱用ガスとして第１空気へ混入するものである。
【００２８】
−作用−
請求項１の発明では、調湿装置（２０）は、室内へ供給される空気の除湿動作と加湿暖房動作とを切り換えて行う。この除湿動作と加湿暖房動作の切り換えは、調湿部（２３）において第１空気と第２空気との間で熱交換量及び水分交換量を調節することによって行われる。
【００２９】
除湿動作時には、調湿部（２３）で第１空気の除湿が行われるように、調湿部（２３）における熱交換量及び水分交換量が設定される。調湿部（２３）では第１空気中の水分が吸着材に吸着され、除湿された第１空気が室内へ供給される。また、調湿部（２３）では、高温の第２空気によって吸着材が加熱されて再生される。
【００３０】
一方、加湿暖房動作時には、調湿部（２３）で第１空気の加熱と加湿が行われるように、調湿部（２３）における熱交換量及び水分交換量が設定される。調湿部（２３）では、加熱手段（２５）により加熱された第２空気が第１空気と熱交換し、第１空気が加熱される。また、調湿部（２３）では、第２空気中の水分が吸着材を介して第１空気へ移動し、第１空気の加湿も行われる。
【００３１】
請求項２の発明では、吸着ロータ（２４）の回転速度を変更することにより、第１空気と第２空気の間での熱交換量及び水分交換量が調節される。
【００３２】
除湿動作時には、吸着ロータ（２４）の回転速度が所定値に設定される。吸着ロータ（２４）のうち第２通路（２２）を横断する部分では、吸着材が第２空気によって加熱されて再生される。脱離した水分は、第２空気に付与される。第２通路（２２）から第１通路（２１）へ移動した吸着ロータ（２４）の部分では、吸着材に第１空気中の水分が吸着される。このように、調湿部（２３）へ導入された第１空気と第２空気との間では、吸着ロータ（２４）の吸着材を介した水分の交換が主に行われる。
【００３３】
一方、加湿暖房動作時には、吸着ロータ（２４）の回転速度が除湿動作時よりも速く設定される。吸着ロータ（２４）のうち第２通路（２２）を横断する部分は、加熱手段（２５）により加熱された第２空気と接触し、この第２空気によって加熱される。その際、吸着ロータ（２４）の吸着材には、第２空気中の水分がいくらか吸着される。第２通路（２２）から第１通路（２１）へ移動した吸着ロータ（２４）の部分は、第１空気と接触する。加湿暖房動作時には吸着ロータ（２４）の回転速度が速いため、吸着ロータ（２４）のある一部分に着目すると、この一部分が第１通路（２１）を通過するのに要する時間は短くなる。このため、吸着ロータ（２４）のうち第１通路（２１）を横断する部分は、その温度が比較的高く保たれた状態となる。
【００３４】
従って、第１通路（２１）では、吸着ロータ（２４）と第１空気の温度差が拡大し、吸着ロータ（２４）から第１空気に付与される熱量が増大する。また、その際には、吸着ロータ（２４）の吸着材から水分がいくらか脱離して第１空気に付与される。このように、調湿部（２３）へ導入された第１空気と第２空気の間では、吸着ロータ（２４）を介した熱と水分の交換が行われる。
【００３５】
請求項３の発明では、温度分布の形成された第２空気が調湿部（２３）へ供給される。ここで、第２通路（２２）へ移動してきた吸着ロータ（２４）の一部分に着目すると、この一部分の温度は、第２通路（２２）を移動する間に上昇してゆく。そこで、この発明では、第２通路（２２）を横断する吸着ロータ（２４）に対しては、吸着ロータ（２４）の回転方向における終端側の部分ほど高温の第２空気を供給している。つまり、第２通路（２２）へ移動してきて間もない吸着ロータ（２４）の部分には比較的低温の第２空気を供給し、第２空気との接触時間が長くて温度上昇した吸着ロータ（２４）の部分には比較的高温の第２空気を供給している。
【００３６】
請求項４の発明では、顕熱交換器において、第１空気と第２空気の間で熱交換が行われる。
【００３７】
請求項５の発明では、回転ロータ（２６）が顕熱交換器を構成している。例えば、第１空気から第２空気へ熱を移動させる場合は、第１通路（２１）を横断する回転ロータ（２６）の部分が第１空気によって加熱される。第１空気から吸熱した回転ロータ（２６）の部分は、第２通路（２２）へ移動する。そして、第２通路（２２）へ移動した回転ロータ（２６）の部分が、第２空気に対して放熱する。このように、第１空気と第２空気の間では、回転ロータ（２６）を介して熱交換が行われる。
【００３８】
請求項６の発明では、熱交換用部材（２７）が顕熱交換器を構成する。熱交換用部材（２７）には、第１空気の流路と第２空気の流路とが交互に形成される。そして、熱交換用部材（２７）では、各流路を第１空気と第２空気が通過する間に、第１空気と第２空気の間で熱交換が行われる。
【００３９】
請求項７の発明では、除湿動作中に回転ロータ（２６）が回転駆動され、この回転ロータ（２６）を介して第１空気と第２空気の間で熱交換が行われる。一方、加湿暖房動作中には、回転ロータ（２６）が停止状態となっている。つまり、加湿暖房動作中において、第１空気と第２空気とは停止した回転ロータ（２６）を通過することとなり、第１空気と第２空気の間で熱交換は行われない。
【００４０】
請求項８の発明では、第２通路（２２）に排気通路（３０）が接続される。顕熱交換器を通過した第２空気の一部を排気通路（３０）から排出すると、加熱手段（２５）によって加熱される第２空気の流量が減少し、加熱後の第２空気の温度が上昇する。このため、調湿部（２３）に対しては、より高温の第２空気が供給され、吸着材から脱離する水分の量が増加する。
【００４１】
請求項９の発明では、加熱手段（２５）によって、第２空気に加熱用ガスが混入される。これにより、加熱用ガスの熱及び水分が第２空気に付与されて、第２空気の温度と絶対湿度が上昇する。調湿部（２３）では、加熱用ガスから第２空気に付与された熱及び水分の量だけ、熱交換量及び水分交換量が増加する。
【００４２】
請求項１０の発明では、発電装置（４０）の排出ガスが加熱用ガスとして用いられる。つまり、発電装置（４０）の排出ガスが調湿装置（２０）の運転に利用される。
【００４３】
請求項１１の発明では、調湿装置（２０）は、室内へ供給される空気の除湿冷却動作と加湿動作とを切り換えて行う。この除湿冷却動作と加湿動作の切り換えは、調湿部（２３）において第１空気と第２空気との間で熱交換量及び水分交換量を調節することによって行われる。
【００４４】
除湿冷却動作時には、調湿部（２３）で第２空気の除湿と冷却とが行われるように、調湿部（２３）における熱交換量及び水分交換量が設定される。加熱手段（２５）による第２空気の加熱は停止され、第２空気が加熱されずに調湿部（２３）へ供給される。調湿部（２３）では、第２空気が第１空気と熱交換し、第２空気が冷却される。また、調湿部（２３）では、第２空気中の水分が吸着材を介して第１空気へ移動し、第２空気の除湿も行われる。
【００４５】
一方、加湿動作時には、調湿部（２３）で第２空気の加湿が行われるように、調湿部（２３）における熱交換量及び水分交換量が設定される。調湿部（２３）では、加熱手段（２５）により加熱された第２空気によって吸着材が再生され、吸着材から脱離した水分が第２空気に付与される。つまり、第２空気が加湿される。また、調湿部（２３）では、第１空気が吸着材と接触し、第１空気中の水分が吸着材に吸着される。
【００４６】
請求項１２の発明では、吸着ロータ（２４）の回転速度を変更することにより、第１空気と第２空気の間での熱交換量及び水分交換量が調節される。
【００４７】
加湿動作時には、吸着ロータ（２４）の回転速度が所定値に設定される。吸着ロータ（２４）のうち第２通路（２２）を横断する部分では、吸着材が第２空気によって加熱されて再生される。脱離した水分は、第２空気に付与される。第２通路（２２）から第１通路（２１）へ移動した吸着ロータ（２４）の部分では、吸着材に第１空気中の水分が吸着される。このように、調湿部（２３）へ導入された第１空気と第２空気との間では、吸着ロータ（２４）の吸着材を介した水分の交換が主に行われる。
【００４８】
一方、除湿冷却動作時には、吸着ロータ（２４）の回転速度が加湿動作時よりも速く設定される。吸着ロータ（２４）のうち第２通路（２２）を横断する部分は、第２空気と接触し、この第２空気から吸熱する。その際、吸着ロータ（２４）の吸着材には、第２空気中の水分がいくらか吸着される。第２通路（２２）から第１通路（２１）へ移動した吸着ロータ（２４）の部分は、第１空気と接触する。除湿冷却動作時には吸着ロータ（２４）の回転速度が速いため、吸着ロータ（２４）のある一部分に着目すると、この一部分が第１通路（２１）を通過するのに要する時間は短くなる。このため、吸着ロータ（２４）のうち第１通路（２１）を横断する部分は、その温度が比較的高く保たれた状態となる。
【００４９】
従って、第１通路（２１）では、吸着ロータ（２４）と第１空気の温度差が拡大し、吸着ロータ（２４）から第１空気に付与される熱量が増大する。また、その際には、吸着ロータ（２４）の吸着材から水分がいくらか脱離して第１空気に付与される。このように、調湿部（２３）へ導入された第１空気と第２空気の間では、吸着ロータ（２４）を介した熱と水分の交換が行われる。
【００５０】
請求項１３の発明では、温度分布の形成された第２空気が調湿部（２３）へ供給される。ここで、第２通路（２２）へ移動してきた吸着ロータ（２４）の一部分に着目すると、この一部分の温度は、第２通路（２２）を移動する間に上昇してゆく。そこで、この発明では、第２通路（２２）を横断する吸着ロータ（２４）に対しては、吸着ロータ（２４）の回転方向における終端側の部分ほど高温の第２空気を供給している。つまり、第２通路（２２）へ移動してきて間もない吸着ロータ（２４）の部分には比較的低温の第２空気を供給し、第２空気との接触時間が長くて温度上昇した吸着ロータ（２４）の部分には比較的高温の第２空気を供給している。
【００５１】
請求項１４の発明では、顕熱交換器において、第１空気と第２空気の間で熱交換が行われる。
【００５２】
請求項１５の発明では、回転ロータ（２６）が顕熱交換器を構成している。例えば、第１空気から第２空気へ熱を移動させる場合は、第１通路（２１）を横断する回転ロータ（２６）の部分が第１空気によって加熱される。第１空気から吸熱した回転ロータ（２６）の部分は、第２通路（２２）へ移動する。そして、第２通路（２２）へ移動した回転ロータ（２６）の部分が、第２空気に対して放熱する。このように、第１空気と第２空気の間では、回転ロータ（２６）を介して熱交換が行われる。
【００５３】
請求項１６の発明では、熱交換用部材（２７）が顕熱交換器を構成する。熱交換用部材（２７）には、第１空気の流路と第２空気の流路とが交互に形成される。そして、熱交換用部材（２７）では、各流路を第１空気と第２空気が通過する間に、第１空気と第２空気の間で熱交換が行われる。
【００５４】
請求項１７の発明では、加熱手段（２５）によって、第１空気に高温の加熱用ガスが混入される。顕熱交換器へは、加熱用ガスを混入されて高温となった第１空気が供給される。顕熱交換器では、この第１空気が第２空気と熱交換し、第２空気が加熱される。加熱された第２空気は、調湿部（２３）へ流入する。調湿部（２３）では、加熱用ガスから第２空気に付与された熱の量だけ、熱交換量が増加する。
【００５５】
請求項１８の発明では、発電装置（４０）の排出ガスが加熱用ガスとして用いられる。つまり、発電装置（４０）の排出ガスが調湿装置（２０）の運転に利用される。
【００５６】
【発明の実施の形態１】
以下、本発明の実施形態を図面に基づいて詳細に説明する。
【００５７】
図１に示すように、本実施形態の調湿装置（２０）のケーシング（１５）には、調湿部（２３）と加熱手段としての加熱器（２５）とが収納されている。ケーシング（１５）の内部には、第１通路（２１）と第２通路（２２）とが区画形成されている。第１通路（２１）の始端は室外へ接続され、その終端は室内へ接続されている。また、第２通路（２２）の始端は室内へ接続され、その終端は室外へ接続されている。図示しないが、第１通路（２１）と第２通路（２２）には、ファンが１台ずつ設けられている。このファンを運転すると、第１通路（２１）では室外空気（ＯＡ）が第１空気として流通し、第２通路（２２）では室内空気（ＲＡ）が第２空気として流通する。
【００５８】
上記調湿部（２３）は、吸着ロータ（２４）を備えている。この吸着ロータ（２４）は、円板状に形成されると共にハニカム状に形成されて、厚さ方向に空気が通過可能となっている。吸着ロータ（２４）の表面には、例えば、ゼオライトやＡ型シリカゲルを主成分とする無機材料が吸着材として設けられている。上記吸着ロータ（２４）は、第１通路（２１）及び第２通路（２２）を横断する姿勢で設けられている。吸着ロータ（２４）のうち、第１通路（２１）を横断する部分では吸着材が第１空気と接触し、第２通路（２２）を横断する部分では吸着材が第２空気と接触する。また、吸着ロータ（２４）は、図外のモータにより駆動されて回転する。
【００５９】
上記吸着ロータ（２４）は、その回転速度が調節可能に構成されている。この吸着ロータ（２４）の回転速度を調節すると、第１空気と第２空気の間で熱及び水分を交換させる能力が変化する。つまり、吸着ロータ（２４）の回転速度が変化すると、第１空気と第２空気の間における熱交換量及び水分交換量が調節される。本実施形態の調湿装置（２０）では、吸着ロータ（２４）の回転速度を変化させることによって、除湿動作と加湿暖房動作を切り換えている。
【００６０】
上記加熱器（２５）は、第２通路（２２）における調湿部（２３）の上流側に設けられている。この加熱器（２５）は、第２空気を加熱するためのものである。また、加熱器（２５）には、発電装置であるコジェネレーション装置（４０）の排ガス管（４１）が接続されている。
【００６１】
上記コジェネレーション装置（４０）は、固体電解質型燃料電池を備えている。この燃料電池は、メタン等の炭化水素から生成される改質ガス中の水素を燃料として空気中の酸素を酸化剤とする電池反応を行い、得られた電力を出力する。一方、燃料電池では、電池反応によって高温の排出ガスが発生する。この排出ガスは、排ガス管（４１）へ送られる。加熱器（２５）では、第２空気と排出ガスとの間で熱交換が行われる。この際、加熱器（２５）では、加熱後の第２空気に所定の温度分布が形成されるように第２空気が加熱される。
【００６２】
上述の通り、吸着ロータ（２４）の回転速度を調節すると、第１空気と第２空気の間で熱及び水分を交換させる能力が変化する。この点について説明する。
【００６３】
吸着ロータ（２４）の回転速度が遅いと、その回転速度が速い場合と比べて、吸着ロータ（２４）のうち第２通路（２２）を横断する部分が第２空気と接触する時間が長くなる。この第２通路（２２）を通過する間に、吸着ロータ（２４）は、第２空気によって加熱される。加熱された第２空気によって吸着材から水分が脱離し、この水分が第２空気に付与される。第２通路（２２）を通過した吸着ロータ（２４）は、第１通路（２１）へ移動する。
【００６４】
また、吸着ロータ（２４）の回転速度が遅いと、第２通路（２２）から第１通路（２１）へ移動した吸着ロータ（２４）の部分が第１通路（２１）を通過するのに要する時間が長くなる。このため、吸着ロータ（２４）のうち第１通路（２１）を横断する部分は、第１空気との接触によってその温度が一旦低下し、その後は、当該部分に設けられた吸着材に第１空気中の水分が吸着されてゆく。第１通路（２１）を通過して水分を吸着した吸着ロータ（２４）の部分は、第２通路（２２）へ再び移動してゆく。
【００６５】
このように、吸着ロータ（２４）の回転速度を遅く設定した場合、調湿部（２３）へ導入された第１空気と第２空気の間では、吸着ロータ（２４）の吸着材を介した水分の交換が主に行われ、第１空気の除湿が行われる。
【００６６】
一方、吸着ロータ（２４）の回転速度が速いと、その回転速度が遅い場合と比べて、吸着ロータ（２４）のうち第２通路（２２）を横断する部分が第２空気と接触する時間が短くなる。この第２通路（２２）を通過する間に、吸着ロータ（２４）は第２空気によって加熱される。また、第２空気の絶対湿度がある程度高い状態であれば、吸着ロータ（２４）の吸着材に第２空気中の水分がいくらか吸着される。第２通路（２２）を通過した吸着ロータ（２４）は、第１通路（２１）へ移動する。
【００６７】
また、吸着ロータ（２４）の回転速度が速いと、第２通路（２２）から第１通路（２１）へ移動した吸着ロータ（２４）の部分が第１通路（２１）を通過するのに要する時間が短くなる。このため、第１通路（２１）へ移動してきた吸着ロータ（２４）の部分については、その温度がそれ程低下しないうちに第１通路（２１）から第２通路（２２）へ移動してゆく。つまり、吸着ロータ（２４）のうち第１通路（２１）を横断する部分は、その温度が比較的高く保たれた状態となる。従って、第１通路（２１）では、吸着ロータ（２４）と第１空気の温度差が拡大し、吸着ロータ（２４）から第１空気に付与される熱量が増大する。また、第１空気の絶対湿度がある程度低い状態であれば、吸着ロータ（２４）の吸着材から水分がいくらか脱離して第１空気に付与される。
【００６８】
このように、吸着ロータ（２４）の回転速度を速く設定した場合、調湿部（２３）へ導入された第１空気と第２空気の間では、吸着ロータ（２４）を介した熱と水分の交換が行われ、第１空気の加熱と加湿とが行われる。
【００６９】
−運転動作−
上記調湿装置（２０）の運転動作について説明する。
【００７０】
先ず、除湿動作について、図２を参照しながら説明する。除湿動作を行う際には、吸着ロータ（２４）の回転速度が毎分０．５回転に設定される。調湿装置（２０）の第１通路（２１）へは、点▲１▼の状態の第１空気が送り込まれる。この第１空気は、吸着ロータ（２４）へ送られる。吸着ロータ（２４）では、第１空気中の水分が吸着材に吸着される。これによって、第１空気は、等エンタルピ線に沿って変化し、その絶対湿度が低下し且つ温度が上昇して点▲２▼の状態となる。点▲２▼の状態の第１空気は、供給空気（ＳＡ）として室内へ供給される。
【００７１】
一方、調湿装置（２０）の第２通路（２２）へは、点▲３▼の状態の第２空気が送り込まれる。この第２空気は、加熱器（２５）へ送られる。加熱器（２５）では、コジェネレーション装置（４０）の排出ガスと第２空気の間で熱交換が行われる。この排出ガスとの熱交換によって、第２空気はその温度が上昇して点▲４▼の状態となる。
【００７２】
点▲４▼の状態の第２空気は、吸着ロータ（２４）へ送られる。吸着ロータ（２４）では、第２空気が吸着材と接触する。一方、吸着ロータ（２４）は回転しているため、第１空気から吸湿した吸着ロータ（２４）の部分は、やがて第２通路（２２）へ移動して第２空気と接触する。この第２空気との接触によって、吸着ロータ（２４）の吸着材から水分が脱離し、吸着材が再生される。これによって、第２空気は、等エンタルピ線に沿って変化し、その絶対湿度が上昇し且つ温度が低下して点▲５▼の状態となる。点▲５▼の状態の第２空気は、排出空気（ＥＡ）として室外へ排出される。
【００７３】
次に、加湿暖房動作について、図３を参照しながら説明する。加湿暖房動作を行う際には、吸着ロータ（２４）の回転速度が毎分２０回転に設定される。調湿装置（２０）の第１通路（２１）へは、点▲１▼の状態の第１空気が送り込まれる。この第１空気は、吸着ロータ（２４）へ送られる。吸着ロータ（２４）では、第１空気が吸着材に接触する。吸着ロータ（２４）の回転速度が速くなるにつれ、第２空気によって加熱された吸着ロータ（２４）の部分が第１空気と接触する時間が短くなる。このため、吸着ロータ（２４）のうち第１通路（２１）を横断する部分は、その温度が比較的高く保たれた状態となる。従って、第１通路（２１）では、吸着ロータ（２４）と第１空気の温度差が拡大し、吸着ロータ（２４）から第１空気に付与される熱量が増大する。
【００７４】
また、点▲１▼の状態では、第１空気の絶対湿度がかなり低くなっているため、吸着ロータ（２４）の吸着材から水分がいくらか脱離して第１空気に付与される。これによって、第１空気は、その絶対湿度が上昇し且つ温度が上昇して点▲２▼の状態となる。点▲２▼の状態の第１空気は、供給空気（ＳＡ）として室内へ供給される。
【００７５】
一方、調湿装置（２０）の第２通路（２２）へは、点▲３▼の状態の第２空気が送り込まれる。この第２空気は、加熱器（２５）へ送られる。加熱器（２５）では、コジェネレーション装置（４０）の排出ガスと第２空気の間で熱交換が行われる。この排出ガスとの熱交換によって、第２空気はその温度が上昇して点▲４▼の状態となる。
【００７６】
点▲４▼の状態の第２空気は、吸着ロータ（２４）へ送られる。吸着ロータ（２４）では、第２空気が吸着材に接触する。この際、加熱された第２空気は、吸着ロータ（２４）に対して放熱する。また、吸着ロータ（２４）の吸着材に第２空気中の水分がいくらか吸着される。これによって、第２空気は、その絶対湿度が低下し且つ温度が低下して点▲５▼の状態となる。点▲５▼の状態の第２空気は、排出空気（ＥＡ）として室外へ排出される。
【００７７】
上記除湿動作時及び加湿暖房動作時において、吸着ロータ（２４）のうち第２通路（２２）を横断する部分は、第２空気によって加熱される。この吸着ロータ（２４）の部分の温度は、第２空気と接触する時間が長い部分、即ち吸着ロータ（２４）の回転方向における終端側ほど高くなっている。つまり、吸着ロータ（２４）には、その回転方向における第２通路（２２）の始端側から終端側へ向かって温度が高くなるような温度分布が形成される。
【００７８】
そこで、図１及び図４に示すように、加熱器（２５）は、吸着ロータ（２４）の温度分布に対応した温度分布が形成されるように、第２空気の加熱を行う。そして、調湿部（２３）へ流入する第２空気には、吸着ロータ（２４）の回転方向における第２通路（２２）の終端側ほど温度が高くその始端側ほど温度が低い温度分布が形成される。
【００７９】
これにより、吸着ロータ（２４）では、その第２通路（２２）を横断する部分の相対的に低温の部分、即ち始端側の部分に低温の第２空気が接触し、その第２通路（２２）を横断する部分の相対的に高温の部分、即ち終端側の部分に高温の第２空気が接触する。このため、吸着ロータ（２４）へ流入する第２空気と吸着ロータ（２４）との温度差が均一化される。
【００８０】
−実施形態１の効果−
本実施形態の調湿装置（２０）では、調湿部（２３）における熱交換量及び水分交換量を調節することによって、除湿動作と加湿暖房動作の切り換えを行っている。このため、第１空気や第２空気の流通経路を切り換えなくても、除湿動作と加湿暖房動作の切り換えが可能となる。従って、本実施形態によれば、除湿動作と加湿暖房動作の切り換えが可能で、しかも構成が簡素で信頼性の高い調湿装置（２０）を提供することができる。特に、調湿部（２３）に設けられる吸着ロータ（２４）の回転速度を変更することによって、熱交換量及び水分交換量を確実に調節することができる。
【００８１】
また、本実施形態の調湿装置（２０）では、吸着ロータ（２４）のうち高温の部分ほど高温の第２空気と接触するように、加熱器（２５）が第２空気に温度分布を形成している。このため、吸着ロータ（２４）と、これを加熱する第２空気との温度差を概ね一定とすることができ、吸着ロータ（２４）の加熱を効率よく行うことができる。従って、本実施形態によれば、吸着ロータ（２４）の再生に要する第２空気への加熱量を削減することができる。
【００８２】
【発明の実施の形態２】
本発明の実施形態２は、上記実施形態１において、調湿装置（２０）の構成を変更したものである。ここでは、本実施形態について、上記実施形態１と異なる点を説明する。
【００８３】
図５に示すように、本実施形態における調湿装置（２０）には、顕熱交換器としての回転ロータ（２６）が設けられている。回転ロータ（２６）は、円板状に形成されると共にハニカム状に形成されて、厚さ方向に空気が通過可能となっている。
【００８４】
上記回転ロータ（２６）は、第１通路（２１）における調湿部（２３）の下流側と第２通路（２２）における加熱器（２５）の上流側とに跨って配置されている。また、回転ロータ（２６）は、第１通路（２１）及び第２通路（２２）を横断する姿勢で設けられている。つまり、回転ロータ（２６）は、その一部が第１通路（２１）を流れる第１空気と接触し、残りの部分が第２通路（２２）を流れる第２空気と接触する。そして、回転ロータ（２６）を図外のモータによって回転駆動すると、第１空気と第２空気の間で熱交換が行われる。
【００８５】
−運転動作−
上記調湿装置（２０）の運転動作について説明する。
【００８６】
先ず、除湿動作について、図６参照しながら説明する。除湿動作を行う際には、吸着ロータ（２４）の回転速度が毎分０．５回転に設定される。調湿装置（２０）の第１通路（２１）へは、点▲１▼の状態の第１空気が送り込まれる。この第１空気は、吸着ロータ（２４）へ送られる。吸着ロータ（２４）では、第１空気中の水分が吸着材に吸着される。これによって、第１空気は、等エンタルピ線に沿って変化し、その絶対湿度が低下し且つ温度が上昇して点▲２▼の状態となる。点▲２▼の状態の第１空気は、回転ロータ（２６）へ送られる。第１空気は、回転ロータ（２６）を通過し、その際に回転ロータ（２６）へ放熱する。これによって、第１空気は、その温度が低下して点▲３▼の状態となる。点▲３▼の状態の第１空気は、供給空気（ＳＡ）として室内へ供給される。
【００８７】
一方、調湿装置（２０）の第２通路（２２）へは、点▲４▼の状態の第２空気が送り込まれる。この第２空気は、回転ロータ（２６）へ送られる。一方、回転ロータ（２６）は回転しているため、第１空気から吸熱した回転ロータ（２６）の部分は、やがて第２通路（２２）へ移動して第２空気と接触する。回転ロータ（２６）では、第１空気から回収した熱が第２空気に付与される。これによって、第２空気は、その温度が上昇して点▲５▼の状態となる。点▲５▼の状態の第２空気は、加熱器（２５）へ送られる。加熱器（２５）では、コジェネレーション装置（４０）の排出ガスと第２空気の間で熱交換が行われる。この排出ガスとの熱交換によって、第２空気はその温度が上昇して点▲６▼の状態となる。
【００８８】
点▲６▼の状態の第２空気は、吸着ロータ（２４）へ送られる。吸着ロータ（２４）では、第２空気が吸着材と接触する。この第２空気との接触によって、吸着ロータ（２４）の吸着材から水分が脱離し、吸着材が再生される。これによって、第２空気は、等エンタルピ線に沿って変化し、その絶対湿度が上昇し且つ温度が低下して点▲７▼の状態となる。点▲７▼の状態の第２空気は、排出空気（ＥＡ）として室外へ排出される。
【００８９】
次に、加湿暖房動作について説明する。加湿暖房動作を行う際には、吸着ロータ（２４）の回転速度が毎分２０回転に設定される。また、回転ロータ（２６）は、停止状態となっている。つまり、第１空気と第２空気とは、停止した回転ロータ（２６）を通過することとなり、第１空気と第２空気の間で熱交換は行われない。そして、本実施形態における調湿装置（２０）の加湿暖房動作では、上記実施形態１における調湿装置（２０）の加湿暖房動作と同じ動作が行われる（図３を参照）。
【００９０】
【発明の実施の形態３】
本発明の実施形態３は、上記実施形態１において、調湿装置（２０）の構成を変更したものである。ここでは、本実施形態について、上記実施形態１と異なる点を説明する。
【００９１】
図７に示すように、本実施形態における調湿装置（２０）には、顕熱交換器としての熱交換用部材（２７）が設けられている。熱交換用部材（２７）は、直方体状に形成されており、その高さ方向（図７における紙面に垂直な方向）に第１空気の流路としての第１流路（５１）と第２空気の流路としての第２流路（５２）とが交互に設けられている。この熱交換用部材（２７）は、その第１流路（５１）が第１通路（２１）における調湿部（２３）の下流側に、その第２流路（５２）が第２通路（２２）における加熱器（２５）の上流側にそれぞれ接続されている。そして、熱交換用部材（２７）では、第１流路（５１）を流れる第１空気と第２流路（５２）を流れる第２空気の間で熱交換が行われる。
【００９２】
−運転動作−
上記調湿装置（２０）の運転動作について説明する。
【００９３】
先ず、除湿動作について説明する。除湿動作を行う際には、吸着ロータ（２４）の回転速度が毎分０．５回転に設定される。そして、この除湿動作では、上記実施形態２における調湿装置（２０）の除湿動作と同じ動作が行われる（図６を参照）。つまり、第１空気は、吸着ロータ（２４）で除湿された後に熱交換用部材（２７）で冷却され、その後に室内へ供給される。一方、第２空気は、熱交換用部材（２７）で予熱された後に加熱器（２５）で加熱され、続いて吸着ロータ（２４）の再生に利用されてから室外へ排出される。
【００９４】
次に、加湿暖房動作について、図８を参照しながら説明する。加湿暖房動作を行う際には、吸着ロータ（２４）の回転速度が毎分２０回転に設定される。調湿装置（２０）の第１通路（２１）へは、点▲１▼の状態の第１空気が送り込まれる。この第１空気は、吸着ロータ（２４）へ送られる。吸着ロータ（２４）では、第１空気が吸着ロータ（２４）から熱を付与される。また、点▲１▼の状態では、第１空気の絶対湿度が低いため、吸着材から水分が脱離して第１空気に付与される。これによって、第１空気は、その絶対湿度が上昇し且つ温度が上昇して点▲２▼の状態となる。点▲２▼の状態の第１空気は、熱交換用部材（２７）へ送られる。熱交換用部材（２７）では、第１空気が第２空気と熱交換する。これによって、第１空気は、その温度が低下して点▲３▼の状態となる。点▲３▼の状態の第１空気は、供給空気（ＳＡ）として室内へ供給される。
【００９５】
一方、調湿装置（２０）の第２通路（２２）へは、点▲４▼の状態の第２空気が送り込まれる。この第２空気は、熱交換用部材（２７）へ送られる。熱交換用部材（２７）では、第２空気が第１空気と熱交換する。これによって、第２空気は、その温度が上昇して点▲５▼の状態となる。点▲５▼の状態の第２空気は、加熱器（２５）へ送られる。加熱器（２５）では、コジェネレーション装置（４０）の排出ガスと第２空気の間で熱交換が行われる。この排出ガスとの熱交換によって、第２空気はその温度が上昇して点▲６▼の状態となる。
【００９６】
点▲６▼の状態の第２空気は、吸着ロータ（２４）へ送られる。吸着ロータ（２４）では、第２空気が吸着ロータ（２４）に対して放熱する。また、吸着材に第２空気中の水分が吸着される。これによって、第２空気は、その絶対湿度が低下し且つ温度が低下して点▲７▼の状態となる。点▲７▼の状態の第２空気は、排出空気（ＥＡ）として室外へ排出される。
【００９７】
《実施形態３の変形例》
上記実施形態３の調湿装置（２０）では、図９に示すように、第１通路（２１）における調湿部（２３）の下流側と熱交換用部材（２７）との間に、第１通路（２１）を流れる第１空気を室内へ導くためのバイパス通路（２８）を設けてもよい。例えば、室外空気（ＯＡ）の温度が室内空気（ＲＡ）の温度よりも低い中間期には、加熱器（２５）及び吸着ロータ（２４）を停止した状態で、第１空気を第１通路（２１）からバイパス通路（２８）を通って室内へ導くことにより、室内の冷房を行うことができる。つまり、本変形例の調湿装置（２０）では、消費電力を削減して室内の冷房を行うことができる。
【００９８】
【発明の実施の形態４】
本発明の実施形態４は、上記実施形態２の調湿装置（２０）において、加熱手段（２５）の構成を変更したものである。ここでは、本実施形態について、上記実施形態２と異なる点を説明する。
【００９９】
図１０に示すように、本実施形態の調湿装置（２０）には、発電装置であるコジェネレーション装置（４０）の排ガス管（４１）が設けられている。この排ガス管（４１）は、第２通路（２２）における回転ロータ（２６）と調湿部（２３）との間に接続されている。
【０１００】
上記コジェネレーション装置（４０）において、固体電解質型燃料電池から排出される排出ガスは、第２空気よりも絶対湿度及び温度が高い。この排出ガスは、第２空気を加熱するための加熱用ガスとして排ガス管（４１）へ送られる。そして、本実施形態の加熱手段（２５）は、第２通路（２２）を流れる第２空気に排ガス管（４１）から供給された排出ガスを混入することにより、第２空気を加熱する。
【０１０１】
また、上記加熱手段（２５）は、調湿部（２３）へ流入する第２空気に所定の温度分布が形成されるよう、第２通路（２２）における複数箇所へ異なる流量で排出ガスを供給している。つまり、加熱手段（２５）では、第２通路（２２）の断面内において、吸着ロータ（２４）の回転方向の始端側に位置する箇所ほど排出ガスの供給量が少なく設定され、その終端側に位置する箇所ほど排出ガスの供給量が多く設定される。
【０１０２】
−運転動作−
上記調湿装置（２０）の運転動作について説明する。
【０１０３】
先ず、除湿動作について、図１１を参照しながら説明する。除湿動作を行う際には、吸着ロータ（２４）の回転速度が毎分０．５回転に設定される。調湿装置（２０）の第１通路（２１）へは、点▲１▼の状態の第１空気が送り込まれる。この第１空気は、吸着ロータ（２４）へ送られる。吸着ロータ（２４）では、第１空気中の水分が吸着材に吸着される。これによって、第１空気は、等エンタルピ線に沿って変化し、その絶対湿度が低下し且つ温度が上昇して点▲２▼の状態となる。点▲２▼の状態の第１空気は、回転ロータ（２６）へ送られる。第１空気は、回転ロータ（２６）を通過し、その際に回転ロータ（２６）へ放熱する。これによって、第１空気は、その温度が低下して点▲３▼の状態となる。点▲３▼の状態の第１空気は、供給空気（ＳＡ）として室内へ供給される。
【０１０４】
一方、調湿装置（２０）の第２通路（２２）へは、点▲４▼の状態の第２空気が送り込まれる。この第２空気は、回転ロータ（２６）へ送られる。回転ロータ（２６）では、第１空気から回収した熱が第２空気に付与される。これによって、第２空気は、その温度が上昇して点▲５▼の状態となる。点▲５▼の状態の第２空気には、コジェネレーション装置（４０）の排出ガスが混入される。そして、第２空気は、その絶対湿度が上昇し且つ温度が上昇して点▲６▼の状態となる。
【０１０５】
点▲６▼の状態の第２空気は、吸着ロータ（２４）へ送られる。吸着ロータ（２４）では、第２空気が吸着材と接触する。この第２空気との接触によって、吸着ロータ（２４）の吸着材から水分が脱離し、吸着材が再生される。これによって、第２空気は、等エンタルピ線に沿って変化し、その絶対湿度が上昇し且つ温度が低下して点▲７▼の状態となる。点▲７▼の状態の第２空気は、排出空気（ＥＡ）として室外へ排出される。
【０１０６】
次に、加湿暖房動作について、図１２を参照しながら説明する。加湿暖房動作を行う際には、吸着ロータ（２４）の回転速度が毎分２０回転に設定される。また、回転ロータ（２６）は、停止状態となっている。調湿装置（２０）の第１通路（２１）へは、点▲１▼の状態の第１空気が送り込まれる。この第１空気は、吸着ロータ（２４）へ送られる。吸着ロータ（２４）では、第１空気が吸着ロータ（２４）から熱を付与される。また、点▲１▼の状態では、第１空気の絶対湿度が低いため、吸着材から水分が脱離して第１空気に付与される。これによって、第１空気は、その絶対湿度が上昇し且つ温度が上昇して点▲２▼の状態となる。点▲２▼の状態の第１空気は、供給空気（ＳＡ）として室内へ供給される。
【０１０７】
一方、調湿装置（２０）の第２通路（２２）へは、点▲３▼の状態の第２空気が送り込まれる。この第２空気には、コジェネレーション装置（４０）の排出ガスが混入される。そして、第２空気は、その絶対湿度が上昇し且つ温度が上昇して点▲４▼の状態となる。点▲４▼の状態の第２空気は、吸着ロータ（２４）へ送られる。吸着ロータ（２４）では、第２空気が吸着ロータ（２４）に対して放熱する。また、吸着材に第２空気中の水分が吸着される。これによって、第２空気は、その絶対湿度が低下し且つ温度が低下して点▲５▼の状態となる。点▲５▼の状態の第２空気は、排出空気（ＥＡ）として室外へ排出される。
【０１０８】
尚、本実施形態の調湿装置（２０）では、第２空気にコジェネレーション装置（４０）の排出ガスが混入される。これにより、第２空気は、その温度に加えて絶対湿度も上昇する。このため、調湿部（２３）に対しては、より高温且つ絶対湿度の高い第２空気が供給される。そして、加湿暖房動作時において、この熱及び水分は、吸着ロータ（２４）を介して第１空気に付与される。従って、本実施形態の調湿装置（２０）では、加湿暖房動作時において、室内へ供給される第１空気の温度を上昇させるだけでなく、その絶対湿度も高めることができる。つまり、第１空気に対する加湿量を増大させることができる。
【０１０９】
【発明の実施の形態５】
本発明の実施形態５は、上記実施形態４の調湿装置（２０）の構成を変更したものである。ここでは、本実施形態について、上記実施形態４と異なる点を説明する。
【０１１０】
図１３に示すように、本実施形態の調湿装置（２０）には、加湿器（２９）が設けられている。この加湿器（２９）は、第１空気を加湿するためのものであって、第１通路（２１）における調湿部（２３）の下流側に配置されている。加湿器（２９）には、水道水などが供給される。そして、加湿器（２９）は、例えば供給された水道水を第１空気へ散布することによって、第１空気を加湿する。
【０１１１】
−運転動作−
上記調湿装置（２０）の運転動作について説明する。
【０１１２】
先ず、除湿動作について、図１４を参照しながら説明する。除湿動作を行う際には、吸着ロータ（２４）の回転速度が毎分０．５回転に設定される。調湿装置（２０）の第１通路（２１）へは、点▲１▼の状態の第１空気が送り込まれる。この第１空気は、吸着ロータ（２４）へ送られる。吸着ロータ（２４）では、第１空気中の水分が吸着材に吸着される。これによって、第１空気は、等エンタルピ線に沿って変化し、その絶対湿度が低下し且つ温度が上昇して点▲２▼の状態となる。
【０１１３】
点▲２▼の状態の第１空気は、回転ロータ（２６）へ送られる。第１空気は、回転ロータ（２６）を通過し、その際に回転ロータ（２６）へ放熱する。これによって、第１空気は、その温度が低下して点▲３▼の状態となる。点▲３▼の状態の第１空気は、加湿器（２９）へ送られて加湿される。その際、第１空気中では、供給された水が吸熱して蒸発する。このため、第１空気は、その絶対湿度が上昇し且つ温度が低下して点▲４▼の状態となる。点▲４▼の状態の第１空気は、供給空気（ＳＡ）として室内へ供給される。
【０１１４】
一方、調湿装置（２０）の第２通路（２２）へは、点▲５▼の状態の第２空気が送り込まれる。この第２空気は、回転ロータ（２６）へ送られる。回転ロータ（２６）では、第１空気から回収した熱が第２空気に付与される。これによって、第２空気は、その温度が上昇して点▲６▼の状態となる。点▲６▼の状態の第２空気には、コジェネレーション装置（４０）の排出ガスが混入される。そして、第２空気は、その絶対湿度が上昇し且つ温度が上昇して点▲７▼の状態となる。
【０１１５】
点▲７▼の状態の第２空気は、吸着ロータ（２４）へ送られる。吸着ロータ（２４）では、第２空気が吸着材と接触する。この第２空気との接触によって、吸着ロータ（２４）の吸着材から水分が脱離し、吸着材が再生される。これによって、第２空気は、等エンタルピ線に沿って変化し、その絶対湿度が上昇し且つ温度が低下して点▲８▼の状態となる。点▲８▼の状態の第２空気は、排出空気（ＥＡ）として室外へ排出される。
【０１１６】
次に、加湿暖房動作について、図１５を参照しながら説明する。加湿暖房動作を行う際には、吸着ロータ（２４）の回転速度が毎分２０回転に設定される。また、回転ロータ（２６）は、停止状態となっている。調湿装置（２０）の第１通路（２１）へは、点▲１▼の状態の第１空気が送り込まれる。この第１空気は、吸着ロータ（２４）へ送られる。吸着ロータ（２４）では、第１空気が吸着ロータ（２４）から熱を付与される。また、点▲１▼の状態では、第１空気の絶対湿度が低いため、吸着材から水分が脱離して第１空気に付与される。これによって、第１空気は、その絶対湿度が上昇し且つ温度が上昇して点▲２▼の状態となる。
【０１１７】
点▲２▼の状態の第１空気は、加湿器（２９）へ送られて加湿される。その際、第１空気中では、供給された水が吸熱して蒸発する。このため、第１空気は、その絶対湿度が上昇し且つ温度が低下して点▲３▼の状態となる。点▲３▼の状態の第１空気は、供給空気（ＳＡ）として室内へ供給される。
【０１１８】
一方、調湿装置（２０）の第２通路（２２）へは、点▲４▼の状態の第２空気が送り込まれる。この第２空気には、コジェネレーション装置（４０）の排出ガスが混入される。そして、第２空気は、その絶対湿度が上昇し且つ温度が上昇して点▲５▼の状態となる。点▲５▼の状態の第２空気は、吸着ロータ（２４）へ送られる。吸着ロータ（２４）では、第２空気が吸着ロータ（２４）に対して放熱する。また、吸着材に第２空気中の水分が吸着される。これによって、第２空気は、その絶対湿度が低下し且つ温度が低下して点▲６▼の状態となる。点▲６▼の状態の第２空気は、排出空気（ＥＡ）として室外へ排出される。
【０１１９】
《実施形態５の変形例》
図１６に示すように、上記実施形態５の調湿装置において、第２通路（２２）には、回転ロータ（２６）を通過した後であって加熱手段（２５）により加熱される前の第２空気の一部を室外へ排出するための排気通路（３０）を設けてもよい。この排気通路（３０）から第２空気の一部を排出すると、加熱手段（２５）によって加熱される第２空気の流量が減少し、加熱後の第２空気の温度が上昇する。このため、調湿部（２３）に対しては、より高温の第２空気が供給され、吸着材から脱離する水分の量が増加する。これに伴い、第１通路（２１）側へ移動後の吸着ロータ（２４）の吸着材が、第１空気から吸着する水分の量も増加する。
【０１２０】
従って、本変形例の調湿装置（２０）では、吸着ロータ（２４）の吸着材に吸着される第１空気中の水分量を増加させることができ、除湿動作時において、室内へ供給される第１空気の湿度をより一層低下させることができる。また、本変形例の調湿装置（２０）では、排気通路（３０）を第２通路（２２）における回転ロータ（２６）の下流側に設けている。このため、回転ロータ（２６）へ流入する第２空気の流量を確保でき、回転ロータ（２６）において第１空気を確実に冷却することができる。
【０１２１】
【発明の実施の形態６】
本発明の実施形態６は、上記実施形態１の調湿装置（２０）の構成を変更したものである。ここでは、本実施形態について、上記実施形態１と異なる点を説明する。
【０１２２】
図１７に示すように、本実施形態の調湿装置（２０）において、第１通路（２１）の始端は室内へ接続され、その終端は室外へ接続されている。また、第２通路（２２）の始端は室外へ接続され、その終端は室内へ接続されている。第１通路（２１）には、室内空気（ＲＡ）が第１空気として送り込まれ、第２通路（２２）には、室外空気（ＯＡ）が第２空気として送り込まれる。つまり、本実施形態の調湿装置（２０）は、上記実施形態１の調湿装置（２０）において、第１通路（２１）及び第２通路（２２）の接続先を変更し、第１通路（２１）と第２通路（２２）とに取り込まれる空気を入れ換えたものである。
【０１２３】
−運転動作−
上記調湿装置（２０）の運転動作について説明する。
【０１２４】
先ず、加湿動作について、図１８を参照しながら説明する。加湿動作を行う際には、吸着ロータ（２４）の回転速度が毎分０．５回転に設定される。調湿装置（２０）の第１通路（２１）へは、点▲１▼の状態の第１空気が送り込まれる。この第１空気は、吸着ロータ（２４）へ送られる。吸着ロータ（２４）では、第１空気中の水分が吸着材に吸着される。これによって、第１空気は、等エンタルピ線に沿って変化し、その絶対湿度が低下し且つ温度が上昇して点▲２▼の状態となる。点▲２▼の状態の第１空気は、排出空気（ＥＡ）として室外へ排出される。
【０１２５】
一方、調湿装置（２０）の第２通路（２２）へは、点▲３▼の状態の第２空気が送り込まれる。この第２空気は、加熱器（２５）へ送られる。加熱器（２５）では、コジェネレーション装置（４０）の排出ガスと第２空気の間で熱交換が行われる。この排出ガスとの熱交換によって、第２空気はその温度が上昇して点▲４▼の状態となる。点▲４▼の状態の第２空気は、吸着ロータ（２４）へ送られる。吸着ロータ（２４）では、第２空気が吸着材と接触する。この第２空気との接触によって、吸着ロータ（２４）の吸着材から水分が脱離し、吸着材が再生される。これによって、第２空気は、等エンタルピ線に沿って変化し、その絶対湿度が上昇し且つ温度が低下して点▲５▼の状態となる。点▲５▼の状態の第２空気は、供給空気（ＳＡ）として室内へ供給される。
【０１２６】
次に、除湿冷却動作について、図１９を参照しながら説明する。除湿冷却動作を行う際には、吸着ロータ（２４）の回転速度が毎分２０回転に設定される。加熱器（２５）による第２空気の加熱は、停止されている。調湿装置（２０）の第１通路（２１）へは、点▲１▼の状態の第１空気が送り込まれる。この第１空気は、吸着ロータ（２４）へ送られる。吸着ロータ（２４）では、第１空気が吸着ロータ（２４）から熱を付与される。また、点▲１▼の状態では、第１空気の絶対湿度が低いため、吸着材から水分が脱離して第１空気に付与される。これによって、第１空気は、その絶対湿度が上昇し且つ温度が上昇して点▲２▼の状態となる。点▲２▼の状態の第１空気は、排出空気（ＥＡ）として室外へ排出される。
【０１２７】
一方、調湿装置（２０）の第２通路（２２）へは、点▲３▼の状態の第２空気が送り込まれる。この第２空気は、吸着ロータ（２４）へ送られる。吸着ロータ（２４）では、第２空気が吸着ロータ（２４）に対して放熱する。また、吸着材に第２空気中の水分が吸着される。これによって、第２空気は、その絶対湿度が低下し且つ温度が低下して点▲４▼の状態となる。点▲４▼の状態の第２空気は、供給空気（ＳＡ）として室内へ供給される。
【０１２８】
尚、本実施形態の調湿装置（２０）では、上記実施形態１と同様の効果が得られる。つまり、第１空気や第２空気の流通経路を切り換えなくても、除湿冷却動作と加湿動作の切り換えが可能となる。従って、本実施形態によれば、除湿冷却動作と加湿動作の切り換えが可能で、しかも構成が簡素で信頼性の高い調湿装置（２０）を提供することができる。
【０１２９】
【発明の実施の形態７】
本発明の実施形態７は、上記実施形態２の調湿装置（２０）の構成を変更したものである。ここでは、本実施形態について、上記実施形態２と異なる点を説明する。
【０１３０】
図２０に示すように、本実施形態の調湿装置（２０）において、第１通路（２１）の始端は室内へ接続され、その終端は室外へ接続されている。また、第２通路（２２）の始端は室外へ接続され、その終端は室内へ接続されている。第１通路（２１）には、室内空気（ＲＡ）が第１空気として送り込まれ、第２通路（２２）には、室外空気（ＯＡ）が第２空気として送り込まれる。つまり、本実施形態の調湿装置（２０）は、上記実施形態２の調湿装置（２０）において、第１通路（２１）及び第２通路（２２）の接続先を変更し、第１通路（２１）と第２通路（２２）とに取り込まれる空気を入れ換えたものである。
【０１３１】
−運転動作−
上記調湿装置（２０）の運転動作について説明する。
【０１３２】
先ず、加湿動作について、図２１を参照しながら説明する。加湿動作を行う際には、吸着ロータ（２４）の回転速度が毎分０．５回転に設定される。調湿装置（２０）の第１通路（２１）へは、点▲１▼の状態の第１空気が送り込まれる。この第１空気は、吸着ロータ（２４）へ送られる。吸着ロータ（２４）では、第１空気中の水分が吸着材に吸着される。これによって、第１空気は、等エンタルピ線に沿って変化し、その絶対湿度が低下し且つ温度が上昇して点▲２▼の状態となる。点▲２▼の状態の第１空気は、回転ロータ（２６）へ送られる。第１空気は、回転ロータ（２６）を通過し、その際に回転ロータ（２６）へ放熱する。これによって、第１空気は、その温度が低下して点▲３▼の状態となる。点▲３▼の状態の第１空気は、排出空気（ＥＡ）として室外へ排出される。
【０１３３】
一方、調湿装置（２０）の第２通路（２２）へは、点▲４▼の状態の第２空気が送り込まれる。この第２空気は、回転ロータ（２６）へ送られる。回転ロータ（２６）では、第１空気から回収した熱が第２空気に付与される。これによって、第２空気は、その温度が上昇して点▲５▼の状態となる。点▲５▼の状態の第２空気は、加熱器（２５）へ送られる。加熱器（２５）では、コジェネレーション装置（４０）の排出ガスと第２空気の間で熱交換が行われる。この排出ガスとの熱交換によって、第２空気はその温度が上昇して点▲６▼の状態となる。
【０１３４】
点▲６▼の状態の第２空気は、吸着ロータ（２４）へ送られる。吸着ロータ（２４）では、第２空気が吸着材と接触する。この第２空気との接触によって、吸着ロータ（２４）の吸着材から水分が脱離し、吸着材が再生される。これによって、第２空気は、等エンタルピ線に沿って変化し、その絶対湿度が上昇し且つ温度が低下して点▲７▼の状態となる。点▲７▼の状態の第２空気は、供給空気（ＳＡ）として室内へ供給される。
【０１３５】
次に、除湿冷却動作について、図２２を参照しながら説明する。除湿冷却動作を行う際には、吸着ロータ（２４）の回転速度が毎分２０回転に設定される。加熱器（２５）による第２空気の加熱は、停止されている。調湿装置（２０）の第１通路（２１）へは、点▲１▼の状態の第１空気が送り込まれる。この第１空気は、吸着ロータ（２４）へ送られる。吸着ロータ（２４）では、第１空気が吸着ロータ（２４）から熱を付与される。また、点▲１▼の状態では、第１空気の絶対湿度が低いため、吸着材から水分が脱離して第１空気に付与される。これによって、第１空気は、その絶対湿度が上昇し且つ温度が上昇して点▲２▼の状態となる。
【０１３６】
点▲２▼の状態の第１空気は、回転ロータ（２６）へ送られる。回転ロータ（２６）では、第２空気から回収した熱が第１空気に付与される。これによって、第１空気は、その温度が上昇して点▲３▼の状態となる。点▲３▼の状態の第１空気は、排出空気（ＥＡ）として室外へ排出される。
【０１３７】
一方、調湿装置（２０）の第２通路（２２）へは、点▲４▼の状態の第２空気が送り込まれる。この第２空気は、回転ロータ（２６）へ送られる。第２空気は、回転ロータ（２６）を通過し、その際に回転ロータ（２６）へ放熱する。これによって、第２空気は、その温度が低下して点▲５▼の状態となる。点▲５▼の状態の第２空気は、吸着ロータ（２４）へ送られる。吸着ロータ（２４）では、第２空気が吸着ロータ（２４）に対して放熱する。また、吸着材に第２空気中の水分が吸着される。これによって、第２空気は、その絶対湿度が低下し且つ温度が低下して点▲６▼の状態となる。点▲６▼の状態の第２空気は、供給空気（ＳＡ）として室内へ供給される。
【０１３８】
【発明の実施の形態８】
本発明の実施形態８は、上記実施形態３において、調湿装置（２０）の構成を変更したものである。ここでは、本実施形態について、上記実施形態３と異なる点を説明する。
【０１３９】
図２３に示すように、本実施形態の調湿装置（２０）において、第１通路（２１）の始端は室内へ接続され、その終端は室外へ接続されている。また、第２通路（２２）の始端は室外へ接続され、その終端は室内へ接続されている。第１通路（２１）には、室内空気（ＲＡ）が第１空気として送り込まれ、第２通路（２２）には、室外空気（ＯＡ）が第２空気として送り込まれる。つまり、本実施形態の調湿装置（２０）は、上記実施形態３の調湿装置（２０）において、第１通路（２１）及び第２通路（２２）の接続先を変更し、第１通路（２１）と第２通路（２２）とに取り込まれる空気を入れ換えたものである。そして、本実施形態の調湿装置（２０）は、上記実施形態７のものと同様の加湿動作及び除湿冷却動作を行う。
【０１４０】
【発明の実施の形態９】
本発明の実施形態９は、上記実施形態４の調湿装置（２０）において、調湿装置（２０）の構成を変更したものである。ここでは、本実施形態について、上記実施形態４と異なる点を説明する。
【０１４１】
図２４に示すように、本実施形態の調湿装置（２０）において、第１通路（２１）の始端は室内へ接続され、その終端は室外へ接続されている。また、第２通路（２２）の始端は室外へ接続され、その終端は室内へ接続されている。第１通路（２１）には、室内空気（ＲＡ）が第１空気として送り込まれ、第２通路（２２）には、室外空気（ＯＡ）が第２空気として送り込まれる。つまり、本実施形態の調湿装置（２０）は、上記実施形態４の調湿装置（２０）において、第１通路（２１）及び第２通路（２２）の接続先を変更し、第１通路（２１）と第２通路（２２）とに取り込まれる空気を入れ換えたものである。
【０１４２】
また、本実施形態の調湿装置（２０）には、上記実施形態４と同様に、発電装置であるコジェネレーション装置（４０）の排ガス管（４１）が設けられている。但し、本実施形態の調湿装置（２０）では、この排ガス管（４１）が第１通路（２１）における回転ロータ（２６）と調湿部（２３）との間に接続されている。
【０１４３】
上記コジェネレーション装置（４０）において、燃料電池から排出される排出ガスは、第１空気と第２空気のどちらよりも絶対湿度及び温度が高い。この排出ガスは、第１空気を加熱するための加熱用ガスとして排ガス管（４１）へ送られる。つまり、加熱手段（２５）は、第１通路（２２）を流れる第１空気に排ガス管（４１）から供給された排出ガスを混入して、第１空気を加熱する。加熱された第１空気は、回転ロータ（２６）を通過する間に第２空気と熱交換されて、第２空気が加熱される。
【０１４４】
−運転動作−
上記調湿装置（２０）の運転動作について説明する。
【０１４５】
先ず、加湿動作について、図２５を参照しながら説明する。加湿動作を行う際には、吸着ロータ（２４）の回転速度が毎分０．５回転に設定される。調湿装置（２０）の第１通路（２１）へは、点▲１▼の状態の第１空気が送り込まれる。この第１空気は、吸着ロータ（２４）へ送られる。吸着ロータ（２４）では、第１空気中の水分が吸着材に吸着される。これによって、第１空気は、等エンタルピ線に沿って変化し、その絶対湿度が低下し且つ温度が上昇して点▲２▼の状態となる。
【０１４６】
点▲２▼の状態の第１空気には、コジェネレーション装置（４０）の排出ガスが混入される。そして、第１空気は、その絶対湿度が上昇し且つ温度が上昇して点▲３▼の状態となる。点▲３▼の状態の第１空気は、回転ロータ（２６）へ送られる。第１空気は、回転ロータ（２６）を通過し、その際に回転ロータ（２６）へ放熱する。これによって、第１空気は、その温度が低下して点▲４▼の状態となる。点▲４▼の状態の第１空気は、排出空気（ＥＡ）として室外に排出される。
【０１４７】
一方、調湿装置（２０）の第２通路（２２）へは、点▲５▼の状態の第２空気が送り込まれる。この第２空気は、回転ロータ（２６）へ送られる。回転ロータ（２６）では、第１空気から回収した熱が第２空気に付与される。これによって、第２空気は、その温度が上昇して点▲６▼の状態となる。点▲６▼の状態の第２空気は、吸着ロータ（２４）へ送られる。吸着ロータ（２４）では、第２空気が吸着材と接触する。この第２空気との接触によって、吸着ロータ（２４）の吸着材から水分が脱離し、吸着材が再生される。これによって、第２空気は、等エンタルピ線に沿って変化し、その絶対湿度が上昇し且つ温度が低下して点▲７▼の状態となる。点▲７▼の状態の第２空気は、供給空気（ＳＡ）として室内へ供給される。
【０１４８】
次に、除湿冷却動作について説明する。除湿冷却動作を行う際には、吸着ロータ（２４）の回転速度が毎分２０回転に設定される。加熱手段（２５）による第１空気の加熱は、停止されている。そして、この除湿冷却動作では、上記実施形態７における調湿装置（２０）の除湿冷却動作と同じ動作が行われる（図２１を参照）。つまり、第１空気は、吸着ロータ（２４）の再生に利用された後に熱交換用部材（２７）で加熱され、その後に室外へ排出される。一方、第２空気は、熱交換用部材（２７）で冷却された後に吸着ロータ（２４）で除湿され、その後に室内へ供給される。
【０１４９】
《実施形態９の変形例》
上記実施形態９の調湿装置（２０）において、第２通路（２２）における調湿部（２３）の下流側に、第２空気を加湿するための加湿器（２９）を設けてもよい。加湿器（２９）には、水道水などが供給される。そして、加湿器（２９）は、例えば供給された水道水を第２空気へ散布することによって、第２空気を加湿する。
【０１５０】
除湿冷却動作時においては、この加湿器（２９）によって第２空気を加湿することで、より一層温度が低下した第２空気を室内へ供給することができる。また、加湿動作時においては、この加湿器（２９）によって第２空気を加湿することで、より一層絶対湿度が上昇した第２空気を室内へ供給することができる。
【０１５１】
【発明の効果】
請求項１の発明では、調湿部（２３）における熱交換量及び水分交換量を調節することによって、除湿動作と加湿暖房動作の切り換えを行っている。このため、第１空気や第２空気の流通経路を切り換えなくても、除湿動作と加湿暖房動作の切り換えが可能となる。従って、この発明によれば、除湿動作と加湿暖房動作の切り換えが可能で、しかも構成が簡素で信頼性の高い調湿装置を提供することができる。
【０１５２】
請求項２の発明によれば、調湿部（２３）に設けられる吸着ロータ（２４）の回転速度を変更することによって、熱交換量及び水分交換量を確実に調節することができる。
【０１５３】
請求項３の発明では、吸着ロータ（２４）のうち高温の部分ほど高温の第２空気と接触するように、加熱手段（２５）が第２空気に温度分布を形成している。このため、吸着ロータ（２４）と、これを加熱する第２空気との温度差を概ね一定とすることができ、吸着ロータ（２４）の加熱を効率よく行うことができる。従って、この発明によれば、吸着ロータ（２４）の再生に要する第２空気への加熱量を削減することができる。
【０１５４】
請求項４，５及び６の発明では、顕熱交換器で第１空気と第２空気を熱交換させている。このため、除湿動作時においては、室内へ供給される第１空気を顕熱交換器で冷却することができる。更に、その際には、第１空気の熱が第２空気へ回収されるため、加熱手段（２５）における第２空気への加熱量を削減することができる。従って、これらの発明によれば、調湿装置（２０）のランニングコストを低減できる。
【０１５５】
請求項９及び１０の発明では、加熱手段（２５）が発電装置（４０）の排出ガスを第２空気に混入することで、調湿部（２３）へ流入する第２空気の温度及び絶対湿度を上昇させている。このため、調湿部（２３）における熱交換量及び水分交換量を増加させることができ、加湿暖房動作時において、より一層温度及び絶対湿度が高い第１空気を室内へ供給することができる。
【０１５６】
請求項１１の発明では、調湿部（２３）における熱交換量及び水分交換量を調節することによって、除湿冷却動作と加湿動作の切り換えを行っている。このため、第１空気や第２空気の流通経路を切り換えなくても、除湿冷却動作と加湿動作の切り換えが可能となる。従って、この発明によれば、除湿冷却動作と加湿動作の切り換えが可能で、しかも構成が簡素で信頼性の高い調湿装置を提供することができる。
【０１５７】
請求項１２の発明によれば、調湿部（２３）に設けられる吸着ロータ（２４）の回転速度を変更することによって、熱交換量及び水分交換量を確実に調節することができる。
【０１５８】
請求項１３の発明では、吸着ロータ（２４）のうち高温の部分ほど高温の第２空気と接触するように、加熱手段（２５）が第２空気に温度分布を形成している。このため、吸着ロータ（２４）と、これを加熱する第２空気との温度差を概ね一定とすることができ、吸着ロータ（２４）の加熱を効率よく行うことができる。従って、この発明によれば、吸着ロータ（２４）の再生に要する第２空気への加熱量を削減することができる。
【０１５９】
請求項１４，１５及び１６の発明では、顕熱交換器で第１空気と第２空気を熱交換させている。このため、除湿冷却動作時においては、室内へ供給される第２空気を顕熱交換器で冷却することができる。また、加湿動作時には、第１空気の熱が第２空気へ回収されるため、加熱手段（２５）における第２空気への加熱量を削減することができる。従って、これらの発明によれば、調湿装置のランニングコストを低減できる。
【０１６０】
請求項１７及び１８の発明では、加熱手段（２５）が発電装置（４０）の排出ガスを第１空気に混入することで、顕熱交換器を介して調湿部（２３）へ流入する第２空気の温度を上昇させている。このため、調湿部（２３）における熱交換量を増加させることができ、加湿動作時において、より一層温度が高い第２空気を室内へ供給することができる。
【図面の簡単な説明】
【図１】実施形態１における調湿装置の概略構成図である。
【図２】実施形態１における調湿装置の除湿動作を示す空気線図である。
【図３】実施形態１における調湿装置の加湿暖房動作を示す空気線図である。
【図４】実施形態１の調湿装置において、調湿部へ流入する第２空気の温度分布を示す図である。
【図５】実施形態２における調湿装置の概略構成図である。
【図６】実施形態２における調湿装置の除湿動作を示す空気線図である。
【図７】実施形態３における調湿装置の概略構成図である。
【図８】実施形態３における調湿装置の加湿暖房動作を示す空気線図である。
【図９】実施形態３の変形例における調湿装置の概略構成図である。
【図１０】実施形態４における調湿装置の概略構成図である。
【図１１】実施形態４における調湿装置の除湿動作を示す空気線図である。
【図１２】実施形態４における調湿装置の加湿暖房動作を示す空気線図である。
【図１３】実施形態５における調湿装置の概略構成図である。
【図１４】実施形態５における調湿装置の除湿動作を示す空気線図である。
【図１５】実施形態５における調湿装置の加湿暖房動作を示す空気線図である。
【図１６】実施形態５の変形例における調湿装置の概略構成図である。
【図１７】実施形態６における調湿装置の概略構成図である。
【図１８】実施形態６における調湿装置の加湿動作を示す空気線図である。
【図１９】実施形態６における調湿装置の除湿冷却動作を示す空気線図である。
【図２０】実施形態７における調湿装置の概略構成図である。
【図２１】実施形態７における調湿装置の加湿動作を示す空気線図である。
【図２２】実施形態７における調湿装置の除湿冷却動作を示す空気線図である。
【図２３】実施形態８における調湿装置の概略構成図である。
【図２４】実施形態９における調湿装置の概略構成図である。
【図２５】実施形態９における調湿装置の加湿動作を示す空気線図である。
【符号の説明】
（２１）  第１通路
（２２）  第２通路
（２３）  調湿部
（２４）  吸着ロータ
（２５）  加熱手段（加熱器）
（２６）  回転ロータ（顕熱交換器）
（２７）  熱交換用部材（顕熱交換器）
（２８）  排気通路
（４０）  発電装置
【図１】
2004354009.tif 000003
【図２】
2004354009.tif 000004
【図３】
2004354009.tif 000005
【図４】
2004354009.tif 000006
【図５】
2004354009.tif 000007
【図６】
2004354009.tif 000008
【図７】
2004354009.tif 000009
【図８】
2004354009.tif 000010
【図９】
2004354009.tif 000011
【図１０】
2004354009.tif 000012
【図１１】
2004354009.tif 000013
【図１２】
2004354009.tif 000014
【図１３】
2004354009.tif 000015
【図１４】
2004354009.tif 000016
【図１５】
2004354009.tif 000017
【図１６】
2004354009.tif 000018
【図１７】
2004354009.tif 000019
【図１８】
2004354009.tif 000020
【図１９】
2004354009.tif 000021
【図２０】
2004354009.tif 000022
【図２１】
2004354009.tif 000023
【図２２】
2004354009.tif 000024
【図２３】
2004354009.tif 000025
【図２４】
2004354009.tif 000026
【図２５】
2004354009.tif 000027